【事件の表示】
　平成　３年特許願第３２５１０６号「光学的情報記録再生装置」拒絶査定に対する審判事件〔平成　５年　６月　１日出願公開、特開平　５−１３５３８９、請求項の数（５）〕について、次のとおり審決する。
【結　論】
　原査定を取り消す。
　本願の発明は、特許すべきものとする。
【理　由】
１．手続の経緯・本願発明
　本願は、平成３年１１月１４日の出願であって、その請求項１〜５に係る発明は、平成１２年４月１９日付手続補正書により補正された明細書および図面の記載からみて、特許請求の範囲の請求項１〜５に記載された次のとおりのものもと認める。（以下「本願発明」という。）
　「【請求項１】　複数の光ビームを光学的情報記録媒体の同一のトラック上、またはそれぞれ異なる複数のトラック上に微小な光スポットとして結像して情報の記録、あるいは再生を行う光学的情報記録再生装置において、
　前記複数の光スポットのうちの１つの光スポットに対してトラッキング制御を行う手段と、このトラッキング制御の光スポットと他の光スポットとの相対的なトラックずれ量を検出する手段と、得られたトラックずれ量を複数の光スポットに所定の比率で割り振るべくトラッキングオフセット量を算出し、トラッキング制御信号に印加する手段とを設けたことを特徴とする光学的情報記録再生装置。
　　【請求項２】　トラックずれ量検出手段は、トラッキング制御ループを開として複数の光スポットを少なくとも１トラックジャンプさせたときに、トラック横断信号の周期及びずれ時間を検出し、得られた周期とずれ時間及びトラックピッチから光スポットの相対的なトラックずれ量を算出することを特徴とする請求項１に記載の光学的情報記録再生装置。
　　【請求項３】　トラックずれ量検出手段は、トラック横断信号を微分する微分回路の出力信号から前記周期及びずれ時間を検出することを特徴とする請求項２に記載の光学的情報記録再生装置。
　　【請求項４】　更に、前記記録媒体の偏心量を検出する手段を含み、前記トラックずれ量検出手段は、得られた相対トラックずれ量から前記偏心検出手段の出力に基づいて得られた偏心による光スポットのトラックずれ量を減算し、記録媒体の偏心によらない相対ずれ量を算出することを特徴とする請求項１に記載の光学的情報記録再生装置。
　　【請求項５】　前記トラッキングオフセット量は、前記記録媒体の偏心量に応じて異なり、前記オフセット印加手段は、前記記録媒体の回転に同期して前記オフセットを印加することを特徴とする請求項１に記載の光学的情報記録再生装置。」
　
２．原査定の拒絶の理由の概要
　これに対して、原査定の拒絶の理由の概要は、
　「この出願の請求項１〜５に係る発明は，その出願前に頒布された刊行物である、特開平３−０１２０３５号公報（以下「引用刊行物１」という。），および特開平２−３０８４３０号公報（以下「引用刊行物２」という。）に記載された発明に基いて，その出願前にその発明の属する技術の分野における通常の知識を有する者が容易に発明をすることができたものであるから，特許法第２９条第２項の規定により特許を受けることができない。」というものである。
　
３．引用刊行物に記載された発明
　引用刊行物１には、次の事項からなる発明が記載されている。
　（１）「光源からのレーザビームを回折格子によって３つのビームに分割してメインスポットおよび一対のサブスポットを光ディスクの記録面上に形成し、前記メインスポットからの反射光に基づいてトラックに記録された情報を読み取ると共に前記一対のサブスポットからの反射光に基づいてトラッキングエラーを検出する光ピックアップにおいて、（イ）前記メインスポットからの反射光から得られる電気信号と前記一対のサブスポットの一方からの反射光から得られる電気信号との位相差に基づく直流出力を検出するとともに、前記メインスポットからの反射光から得られる電気信号と前記一対のサブスポットの他方からの反射光から得られる電気信号との位相差に基づく直流出力を検出し、（ロ）前記（イ）の工程で検出した２つの直流出力の平均値を取り出し、（ハ）前記（イ）および（ロ）の各工程と同時に又はこれらと前後して前記メインスポットからの反射光から得られる電気信号に基づく直流出力を検出し、（ニ）前記（ロ）の工程で得られた平均値と前記（ハ）の工程で得られた直流出力とから、前記一対のサブスポットからの反射光に基づく各電気信号の位相差を取り出すことを特徴とする光ピックアップにおける一対のサブスポットからの反射光に基づく各検出信号の位相差の測定方法」（特許請求の範囲）
　（２）「メインスポットＭとサブスポットＥ（またはＦ）がＣＤ上のトラックＴを横断するときに発生する、Ｍ信号およびＥ（またはＦ）信号の位相比較に基づく積分出力と、Ｍ信号に基づく積分出力とを求め、これらに基づいてＥ−Ｆ信号間の位相差の１８０°に対するずれ量ΔＥＦを求める（ＭＳ位相測定法）ことにより、上記ΔＥＦの１８０°に対する正負の判定が可能となる。」（第３頁左上欄第８〜１５行目）
　（３）「以上のように、本発明によれば、Ｅ信号とＦ信号の極性が逆で互いに１８０°ずれていることを利用してＥ信号とＭ信号との位相差に基づく直流出力と、Ｆ信号とＭ信号との位相差に基づく直流出力との平均値を求めることによりサブビーム（またはメインビーム）の位相変化の影響を解消するようにしている。……よって光ピックアップの組立時の回折格子の位置決め調整を短時間にかつ高精度に行えるようになる。」（第６頁右上欄第２〜１６行目）
　引用刊行物２には、次の事項からなる発明が記載されている。
　（４）「半径方向に複数に分割されたトラック領域を有する円盤状記録媒体に対し情報の記録及び／又は再生を行う光学式情報記録再生装置であって、分割された各々のトラック領域における少なくともトラック１周分の偏心量を検出する手段と、前記検出された少なくともトラック１周分の偏心量又は個々のトラック全ての偏心量を記憶しておく手段と、前記偏心量をＡＴエラー信号に重畳して対物レンズアクチュエータを駆動する手段とを有することを特徴とする、光学式情報記録再生装置。」（特許請求の範囲）
　
４．判断
　引用刊行物１および２に記載された発明は、いずれも光学的記録再生装置のビームスポットのトラッキングに関する点で本願発明と一致するものである。しかしながら、引用刊行物１に記載された発明は３ビームではあるものの、メインビームを挟む２つのビームはメインビームのトラッキングのためのものであって記録または再生を行う光ビームではなく、いずれの引用刊行物に記載された発明も制御対象のスポットはメインビームのみであり、本願発明の構成に欠くことのできない事項である、「得られたトラックずれ量を複数の光スポットに所定の比率で割り振る」という構成が記載も示唆もされていない。そして、本願発明は、この構成を有することにより、「複数の光スポットのトラッキング制御をそれぞれ充分な精度で行うことができ、これによって光ヘッドの構成を大幅に簡単化及びコンパクト化でき、また、光検出器と光スポットの位置合わせを１つの光スポットのみ行えばよい」という効果を奏するものと認められる。したがって、本願発明が上記引用刊行物１および２に記載された発明に基づいて当業者が容易になし得たものと認めることはできない。
　
５．むすび
　以上のとおりであるから、本願は、原査定の理由および証拠によっては拒絶することはできない。
　また、他に本願を拒絶すべき理由を発見しない。
　よって、結論のとおり審決する。